(57)【特許請求の範囲】
【請求項１】
コの字枠の一側面から把手を立設し、他側面にはボルト杆を螺着し、該ボルト杆先端に挟持板を取付け、該コの字枠の側面と該挟持板とによって浴槽上縁部を挟持することによって浴槽上縁部に取付けられる浴槽手すりであって、該他側面の上縁部からは握る側に対して凹となる半円弧形状またはＣ字形状に湾曲する補助把手を下方に向けて差出したことを特徴とする浴槽手すり。
【発明の詳細な説明】
【０００１】
【発明の属する技術分野】
本発明は浴槽手すりに関するものである。
【０００２】
【従来の技術】
従来、図５に示すように、一側面には把手(3A)が立設され、他側面には先端に挟持板(6A)が取付けられたボルト杆(5A)が螺着されたハンドル(4A)が取付けられ、更に他側面には略コの字状の補助把手(7A)が取付けられた浴槽手すり(1A)が提供されている（特開２０００−１８９３３９）。
該補助把手(7A)は、垂直な把持部(71A) と、その両端部から直交して略水平に延出された取付腕(72A) とからなる。
【０００３】
【発明が解決しようとする課題】
しかしながら上記従来の補助把手(7A)では、把持部(71A) が直線形状であるため、使用者が浴槽内から立ち上がろうとして該補助把手(7A)を握ったときに、握った手の上下において手を支えることができる形状ではなく滑りやすいという問題があった。
また、把持部(71A) が垂直とされているため、使用者の上体の姿勢によって、または補助把手(7A)に手を伸ばしたときの角度によって、補助把手(7A)が握りにくく力が入らない場合があるという問題点もあった。
【０００４】
【課題を解決するための手段】
本発明は上記従来の課題を解決するための手段として、コの字枠(2) の一側面から把手(3) を立設し、他側面にはボルト杆(5) を螺着し、該ボルト杆(5) 先端に挟持板(6) を取付け、該コの字枠(2) の側面と該挟持板(6) とによって浴槽上縁部を挟持することによって浴槽上縁部に取付けられる浴槽手すり(1) であって、該他側面の上縁部からは握る側に対して凹となる半円弧形状またはＣ字形状に湾曲する補助把手(7) を下方に向けて差出した浴槽手すり(1) を提供するものである。
【０００５】
【作用】
使用者が浴槽から立ち上がろうとして該補助把手(7) を握ったときに、握った手の上下において該補助把手(7) が握る側に対して凹となる半円弧形状またはＣ字形状に湾曲した形状となっているので、握った手が滑ることなく安定に支えられ力が入りやすくなる。
また、該補助把手(7) が握る側に対して凹となる半円弧形状またはＣ字形状に湾曲しているので、使用者の上体の姿勢によらず、または補助把手(7) に手を伸ばしたときの角度によらず、補助把手(7) を容易に握ることが出来、力を入れることが出来る。
【０００６】
【発明の実施の形態】
本発明を図１〜図３に示す一実施例によって説明する。図１に示すように、浴槽手すり(1) のコの字枠(2) の一側面からは屈曲Ｕ字形の把手(3) が立設され、他側面にはハンドル(4) が取付けられており、該ハンドル(4) にはボルト杆(5) が螺着され、該ボルト杆(5) には挟持板(6) が取付けられている。更に、該他側面には湾曲する補助把手(7) が取付けられている。
【０００７】
図２に示すように、該補助把手(7) はネジ(8) によってコの字枠(2) に螺着されている。本実施例では、該補助把手(7) は半円弧形状とされており、該補助把手(7) の内側形状は使用者の手の形にフィットするように波形形状とされている。
更に、把手(3) および補助把手(7) には、使用者が握ったときに滑るのを防止するために保護カバー(9,10)が巻着されており、該保護カバー(9,10)の材料は、例えばＳＥＢＳ（スチレン−エチレン−ブチレン−スチレンブロック共重合体）やＳＥＰＳ（スチレン−エチレン−プロピレン−スチレンブロック共重合体）等のエラストマーである。また本実施例では、該保護カバー(9,10)の色は、白内障の者でも容易に見分けることが出来るように、例えば赤色等の長波長の色を使用する。
【０００８】
図３に示すように、ハンドル(4) はネジスリーブ(11)を介してコの字枠(2) の他側面に回動自在に取付けられており、該ネジスリーブ(11)内にはボルト杆(5) が螺着され、該ボルト杆(5) の先端には挟持板(6) が固定的に取付けられている。更に、コの字枠(2) の一側面および挟持板(6) の内側面には、クッション性を有するゴム板(12,13) がそれぞれ取付けられている。
【０００９】
ハンドル(4) を回転させると、ハンドル(4) の回転に伴ってネジスリーブ(11)も回転する。この際、ネジスリーブ(11)の回転に伴ってボルト杆(5) も回転しようとするが、ボルト杆(5) の先端に固定的に取付けられている挟持板(6) の上縁がコの字枠(2) に当接するため、ボルト杆(5) および挟持板(6) は回転することが出来ない。そのため、ネジスリーブ(11)はボルト杆(5) に対して回転することになり、ボルト杆(5) はネジスリーブ(11)内を摺動する。このようにして、ハンドル(4) を回転させることにより、挟持板(6) の位置を調節することが出来る。
【００１０】
浴槽手すり(1) を浴槽上縁部に取付ける場合には、浴槽手すり(1) の一側面が浴槽外側になるように（他側面が浴槽内側になるように）浴槽手すり(1) を浴槽上縁部に載置し、上記のようにハンドル(4) を回転させて挟持板(6) の位置を調節して、該コの字枠(2) の側面と該挟持板(6) とによって浴槽上縁部を挟持する。
この場合、コの字枠(2) の側面と挟持板(6) にはクッション性を有するゴム板(12,13) がそれぞれ取付けられているので、浴槽手すり(1) を取付ける際に浴槽が傷つくのを防止し、かつ、浴槽手すり(1) がずれて不安定になるのを防止する。
【００１１】
図２に示すように、該補助把手(7) が半円弧形状とされ湾曲しており、該補助把手(7) の内側形状が使用者の手の形にフィットするように波形形状とされているため、使用者が浴槽内から立ち上がろうとして該補助把手(7) を握ったときに、握った手の上下において湾曲した半円弧形状となっているので、握った手が滑ることなく安定に支えられ力が入りやすくなる。
また、該補助把手(7) が半円弧形状とされ湾曲しているので、使用者の上体の姿勢によらず、または補助把手(7) に手を伸ばしたときの角度によらず、補助把手(7) を容易に握ることが出来、力を入れることが出来る。
更に、該補助把手(7) はネジ(8) によってコの字枠(2) の他側面に螺着されているので、ネジ(8) を取外すことにより容易に着脱することが出来、使用状況に応じて補助把手(7) の取付位置を左右変更することが出来る。
【００１２】
本実施例以外、浴槽手すり(1) のコの字枠(2) の他側面に取付けられる補助把手(7) はＣ字形状とされていてもよい（図４参照）。
【００１３】
【発明の効果】
本発明では、使用者が浴槽から立ち上がろうとして該補助把手を握ったときに、握った手が滑ることなく安定に支えられて力が入れやすい。また、使用者の上体の姿勢によらず、または補助把手に手を伸ばしたときの角度によらず、補助把手を容易に握ることが出来る。
【図面の簡単な説明】
図１〜図３は本発明の一実施例を示すものである。
【図１】斜視図である。
【図２】正面図である。
【図３】説明側断面図である。
【図４】他の実施例の正面図である。
【図５】従来例の正面図である。
【符号の説明】
1           浴槽手すり
2           コの字枠
3           把手
4           ハンドル
5           ボルト杆
6           挟持板
7           補助把手
【図１】
0003779906.tif 000002
【図２】
0003779906.tif 000003
【図３】
0003779906.tif 000004
【図４】
0003779906.tif 000005
【図５】
0003779906.tif 000006